(57)【要約】【課題】ＬＥＤの点灯制御時に過電流がＬＥＤに流れることを防止できるＬＥＤ点灯装置を提供する。【解決手段】制御回路１７は、ＬＥＤ２２の点灯制御中にはＬＥＤ２２の明るさが所定の明るさになるように電流検出部２３の検出信号に応じて点灯回路２０を制御してＬＥＤ２２の電流を制御するとともに、電圧検出部２４の検出信号に応じて直流・直流変換装置２５の出力電圧を制御し、ＬＥＤ２２の消灯制御時にはＬＥＤ２２への印加電圧または直流・直流変換装置２５の出力電圧がＬＥＤ２２の点灯制御時の電圧になるように直流・直流変換装置２２を制御する。【選択図】  図１
2012003865.tif 000002
【特許請求の範囲】
【請求項１】
交流電源電圧を整流する整流回路と；
整流回路の出力電圧を入力しＬＥＤに供給する出力電圧を可変する直流・直流変換装置と；
ＬＥＤの点灯制御及び消灯制御に応じて直流・直流変換装置からＬＥＤへの供給電流を制御する点灯回路と；
ＬＥＤの電流を検出する電流検出部と；
ＬＥＤへの印加電圧または直流・直流変換装置の出力電圧を検出する電圧検出部と；
ＬＥＤの点灯制御中にはＬＥＤの明るさが所定の明るさになるように電流検出部の検出信号に応じて点灯回路を制御してＬＥＤの電流を制御するとともに、電圧検出部の検出信号に応じて直流・直流変換装置の出力電圧を制御し、ＬＥＤの消灯制御時にはＬＥＤへの印加電圧または直流・直流変換装置の出力電圧がＬＥＤの点灯制御時の電圧になるように直流・直流変換装置を制御する制御回路と；
を具備していることを特徴とするＬＥＤ点灯装置。
【請求項２】
前記直流・直流変換装置は、
前記整流回路で整流された電流を平滑する平滑回路と；
前記ＬＥＤの点灯制御中には前記平滑回路で平滑された電流を前記ＬＥＤに印加する電源供給回路を形成し、前記ＬＥＤに印加する電流または電圧が所定値以上になると電源供給回路への入力電流をバイパスするバイパス回路を形成し、このバイパス回路に流れる電流を調整して前記ＬＥＤに印加される電流または電圧が一定となるように調整し、前記ＬＥＤの消灯制御中は前記電源供給回路の回路電圧がＬＥＤの点灯時の回路電圧値になるように制御するための負荷調整回路と；
備えたことを特徴とする請求項１記載のＬＥＤ点灯装置。
【請求項３】
前記ＬＥＤの点灯時の回路電圧値は、前記交流電源の立ち上がり後の点灯制御開始時の回路電圧値、前記交流電源が供給されている状態で点灯制御毎の点灯開始時の回路電圧値、点灯制御中の所定時間毎に更新した回路電圧値、点灯制御中の所定時間毎の回路電圧値の平均値のうちのいずれかであることを特徴とする請求項１または２記載のＬＥＤ点灯装置。
【請求項４】
前記ＬＥＤの点灯時の回路電圧値は、前記制御回路の一時記憶装置または外部の自己保持型記憶装置に記憶することを特徴とする請求項１乃至３のいずれか一記載のＬＥＤ点灯装置。
【請求項５】
前記制御回路は、前記交流定電流電源の立ち上がり時には、前記ＬＥＤの過電圧制限値より小さい予め設定された電圧値で点灯制御を開始することを特徴とする請求項１乃至４のいずれか一記載のＬＥＤ点灯装置。
【発明の詳細な説明】
【技術分野】
【０００１】
本発明の実施形態は、例えば、空港などの標識灯に用いられるＬＥＤ灯器を点灯するためのＬＥＤ点灯装置に関する。
【背景技術】
【０００２】
空港などに用いられる標識灯は、交流定電流電源の出力端に直列接続されることにより付勢される。また、標識灯は、周囲の明るさが変化しても標識の見え方を良好に維持するために、周囲の明るさに応じて交流定電流電源の出力電流を切り換えることによって標識灯が所定の光度比率で作動するように制御される。例えば、交流定電流電源に出力電流の切換タップを配設して、光度比率を１００％、２５％、５％、１％および０．２％の５段階の中から所望により選択できるように構成されている。
【０００３】
標識灯の光源としてハロゲン電球とＬＥＤとを用いたものがあり、標識灯の光源としてＬＥＤを用いたものでは、既に設備されているハロゲン電球の光度比率である電流を出力する交流定電流電源をそのまま使用するようにしている。
【０００４】
ハロゲン電球とＬＥＤとでは、同一光度であっても所要の電流が異なるので、既に設備されているハロゲン電球の光度比率である電流を出力する交流定電流電源をそのままにしてＬＥＤを光源とする標識灯に適用するには、ハロゲン電球の光度比率の電流をＬＥＤの光度比率の電流に変換する必要がある。
【０００５】
交流定電流電源における光度比率の切換タップは、その出力電流がハロゲン電球を備えた標識灯を付勢した際に所定の光度が得られるように設定されており、例えば表１の中欄に示すとおりである。これに対して、ＬＥＤの場合には、同一光度を得るために必要な電流は、表１の右欄に示すとおりである。
【０００６】
［表１］
交流定電流電源             ハロゲン電球（電流）       ＬＥＤ（電流）
タップ５（光度１００％）   １００．０％（６．６Ａ）   １００％（３５０ｍＡ）
タップ４（光度 ２５％）     ７８．９％                   ２５％
タップ３（光度 ５％）       ６２．１％                     ５％
タップ２（光度 １％）       ５１．５％                     １％
タップ１（光度 ０．２％）   ４２．４％                 ０．２％
このように、ハロゲン電球とＬＥＤとでは、同一光度であっても、所要の電流が異なることから、例えば、交流定電流電源の電流が７８．９％であるときは、光源がＬＥＤである場合には２５％の電流に、６２．１％であるときは５％に、５１．５％であるときは１％に、４２．４％であるときは０．２％に変換しなければならない。そのため、既存の交流定電流電源から給電されるＬＥＤを光源とする標識灯では、光度比率−電流の特性変換したり、ＬＥＤを点灯制御（調光制御も含む、以下同様）したりするためのＬＥＤ点灯装置を有している。
【０００７】
光源としてＬＥＤを用いた標識灯のＬＥＤ点灯装置として、交流定電流電源の電流切換特性とＬＥＤ標識灯の負荷電流特性との差を補償するように作用する負荷調整回路を具備したものがある（例えば、特許文献１参照）。このＬＥＤ点灯装置は、入力電流をバイパスする回路を形成しＬＥＤに供給される電流を一定に調整するスイッチ素子Ｑ１と、ＬＥＤを流れる電流が光度比率に対応した電流になるようにデューティ制御（ＰＷＭ制御）されるスイッチ素子Ｑ２とを有する。
【先行技術文献】
【特許文献】
【０００８】
【特許文献１】特開２００６−１３９７５５号公報
【発明の概要】
【発明が解決しようとする課題】
【０００９】
しかし、特許文献１のものでは、ＬＥＤ灯器のＬＥＤを消灯制御した際にスイッチ素子Ｑ１がオンとなり、交流定電流電源からの電流をスイッチ素子Ｑ１でバイパスさせるが、平滑回路（コンデンサ）があるのでＬＥＤへの供給電流が即座に零とならず、ＬＥＤが消灯するまでには時間がかかっていた。ＬＥＤの点消灯の応答性をよくするために、スイッチ素子Ｑ２で点消灯制御を行うがスイッチ素子Ｑ２がオフすると、ＬＥＤ点灯装置の出力側が無負荷状態となってしまう。従って、ＬＥＤ点灯装置の出力側は高電圧となる。ＬＥＤ点灯装置は過電圧保護機能を有しているので、その過電圧保護機能が動作し、ＬＥＤ点灯装置の出力電圧（回路電圧）は、過電圧保護機能で制限された電圧となる。この制限電圧は通常の点灯電圧よりも高い電圧値である。
【００１０】
そのため、ＬＥＤの消灯状態では、通常の点灯電圧よりも高い電圧値に保持されることになり、その状態で、次に点灯制御がかかると、瞬時ではあるがＬＥＤに過電流が流れてしまう。ＬＥＤ灯器の種類が固定で、点灯するＬＥＤの個数が一定であれば、過電圧保護の制限電圧をある妥当な電圧値に設定することが可能であるが、ＬＥＤ灯器の種類が複数で点灯するＬＥＤの個数が変化する場合には制限電圧を大きめに設定せざるを得ない。
【００１１】
そこで、ＬＥＤの点灯制御時に過電流がＬＥＤに流れることを防止できるＬＥＤ点灯装置を提供する。
【課題を解決するための手段】
【００１２】
本発明の実施形態によれば、交流電源電圧を整流する整流回路と；整流回路の出力電圧を入力しＬＥＤに供給する出力電圧を可変する直流・直流変換装置と；  ＬＥＤの点灯制御及び消灯制御に応じて直流・直流変換装置からＬＥＤへの供給電流を制御する点灯回路と；ＬＥＤの電流を検出する電流検出部と；ＬＥＤへの印加電圧または直流・直流変換装置の出力電圧を検出する電圧検出部と；ＬＥＤの点灯制御中にはＬＥＤの明るさが所定の明るさになるように電流検出部の検出信号に応じて点灯回路を制御してＬＥＤの電流を制御するとともに、電圧検出部の検出信号に応じて直流・直流変換装置の出力電圧を制御し、ＬＥＤの消灯制御時にはＬＥＤへの印加電圧または直流・直流変換装置の出力電圧がＬＥＤの点灯制御時の電圧になるように直流・直流変換装置を制御する制御回路と；を具備している。
【発明の効果】
【００１３】
本発明によれば、ＬＥＤの点灯制御時に過電流がＬＥＤに流れることを防止できる。
【図面の簡単な説明】
【００１４】
【図１】本発明の実施形態に係るＬＥＤ点灯装置の回路図。
【図２】本発明の実施形態に係るＬＥＤ点灯装置の動作の一例を示す動作波形図。
【図３】本発明の実施形態に係るＬＥＤ点灯装置の動作の他の一例を示す動作波形図。
【図４】本発明の実施形態に係るＬＥＤ点灯装置の動作の別の他の一例を示す動作波形図。
【発明を実施するための形態】
【００１５】
以下、本発明の実施形態を説明する。図１は本発明の実施形態に係るＬＥＤ点灯装置の構成図である。以下の説明では、交流電源として、出力電流に点灯制御・消灯制御指令の情報が含まれる交流定電流電源１１である場合について説明するが、交流電源として、点灯制御・消灯制御指令の情報が含まれない交流電源を使用し、点灯制御・消灯制御指令の情報は、マニュアル、リモコン、センサー出力等で与えるようにしてもよい。
【００１６】
交流定電流電源１１は複数の切換タップを有し、定電流化された複数段階の出力電流を切換タップで切り換えられて出力するものであり、光度比率に応じて切換タップで出力電流の切り換えが可能に構成されている。
【００１７】
この切換タップの段階に応じて出力電流が変わり所定の光度比率が変わり、その光度比率は、通常、表１の中欄に示したハロゲン電球（白熱電球）の比光度−比電流特性に合わせられている。従って、所定の光度比率は切換タップの切り換えによる交流定電流電源１１の出力電流で表される。
【００１８】
交流定電流電源１１から供給される所定の光度比率に従った出力電流は、可飽和形絶縁変圧器、例えばゴム被覆絶縁変圧器１２を介してＬＥＤ点灯装置１３の整流回路１４に入力される。それとともに、絶縁カレントトランス１５の１次巻線に供給され、絶縁カレントトランス１５を介して入力電流検出回路１６に入力される。
【００１９】
入力電流検出回路１６は、交流定電流電源１１から供給される電流を絶縁カレントトランス１５を介して入力し、交流定電流電源１１からの出力電流を検出する。入力電流検出回路１６で検出した交流定電流電源１１からの出力電流の値から光度比率が算出され、制御回路１７に入力される。
【００２０】
一方、整流回路１４で整流された電流は、直流・直流変換装置２５に入力される。直流・直流変換装置２５はＬＥＤに供給する出力電圧を可変するものであり、負荷調整回路１８と平滑回路１９とから構成されている。直流・直流変換装置２５の出力は、ＰＷＭ制御されるスイッチング装置等から構成される点灯回路２０を介してＬＥＤ灯体２１に供給される。ＬＥＤ灯体２１は光源であるＬＥＤ２２を有して構成され、複数のＬＥＤ２２を用いる場合には複数のＬＥＤ２２を直列に接続して構成されている。このＬＥＤ２２の個数はＬＥＤ灯体２１の種類や用途に応じて変更され得るものである。
【００２１】
制御回路１７は、直流・直流変換装置２５の負荷調整回路１８及び点灯回路２０を制御するものである。制御回路１７には、電流検出部２３で検出された電流が入力されるとともに、電圧検出部２４で検出された電圧が入力される。電流検出部２３で検出された電流は、ＬＥＤ２２に供給される電流であり、電圧検出部２４で検出された電圧はＬＥＤ２２に印加される電圧であり、本実施形態では平滑回路１９の出力電圧でもある。制御回路１７は、電流検出部２３からの検出信号に応じてＬＥＤ２２に所定の電流を流すべき電圧値を設定する。すなわち、本実施形態では、ＰＷＭ制御されるＬＥＤ電流の波高値が所定値となるように直流・直流変換装置２５の平滑回路１９の出力電圧値を設定する。これにより、ＬＥＤ２２の個数が異なるＬＥＤ灯体２１にも対応可能である。
【００２２】
制御回路１７は、ＬＥＤ灯体２１のＬＥＤ２２の点灯制御中には、直流・直流変換装置２５の負荷調整回路１８により、ＬＥＤ２２に印加するための電源供給回路を形成する。その際に、ＬＥＤ２２に印加する電流または電圧が所定値以上になると、負荷調整回路１８により、電源供給回路への入力電流をバイパスするバイパス回路を形成し、バイパス回路に流れる電流を調整して、ＬＥＤ２２の点灯制御中にはＬＥＤ２２に印加される電流または電圧が一定となるように調整する。
【００２３】
また、点灯回路２０により、ＬＥＤ２２の明るさが交流定電流電源１１から供給される所定の光度比率の電流に対応した所定の明るさになるように、負荷調整回路１８で形成された電源供給回路からの電流を調整してＬＥＤ２２を点灯する。
【００２４】
一方、制御回路１７は、ＬＥＤ灯体２１のＬＥＤ２２の消灯制御中は、点灯回路２０により、交流定電流電源１１からＬＥＤ２２に供給される電流の供給を遮断する。また、負荷調整回路１８により、電源供給回路の回路電圧がＬＥＤ２２の点灯時の回路電圧値になるように制御する。これにより、点灯回路２０により、交流定電流電源１１からＬＥＤ２２に供給される電流の供給を遮断し、負荷であるＬＥＤ２２がオープンとなり無負荷状態となったとしても、通常の点灯電圧と同じ電圧値に保持される。従って、ＬＥＤ２２の消灯制御状態からＬＥＤ２２の点灯制御となった場合に過電流がＬＥＤ２２に流れることを防止できる。
【００２５】
以上の説明では、直流・直流変換装置２５は、負荷調整回路１８と平滑回路１９とから構成された場合を示したが、降圧チョッパ、昇圧チョッパ、出力側に平滑回路を備えたインバータ等、出力電圧を可変にできるものあれば、どのようなものでもよい。
【００２６】
図２は本発明の実施形態に係るＬＥＤ点灯装置の動作の一例を示す動作波形図である。いま、時点ｔ０において交流定電流電源１１が立ち上がり、ＬＥＤ点灯装置１３に交流定電流電源１１から電流が入力されたとする。そうすると、交流定電流電源１１は電流源であることから、整流回路１４、負荷調整回路１８及び平滑回路１９を介して、点灯回路２０とＬＥＤ灯体２１との間に、電流を流し込もうとする。点灯回路２０は時点ｔ０ではオフであることから、点灯回路２０とＬＥＤ灯体２１との間にＬＥＤ電圧（回路電圧）が発生する。
【００２７】
この回路電圧は、そのままであると、過電圧保護機能が働きその過電圧制限電圧Ｖｕまで上昇することになる。そこで、本発明の実施形態では、制御回路１７は、交流定電流電源１１の立ち上がり時には、ＬＥＤ２２の過電圧制限値Ｖｕの１／２の電圧値（Ｖｕ／２）で電圧制御を開始する。これは、負荷調整回路１８により、入力電流をバイパスするバイパス回路を形成し、このバイパス回路に流れる電流を調整してＬＥＤ２２に印加される電圧が電圧値（Ｖｕ／２）となるように調整する。従って、時点ｔ０において交流定電流電源１１が立ち上がると、点灯回路２０とＬＥＤ灯体２１との間に回路電圧（ＬＥＤ電圧）は、制御回路１７により、ＬＥＤ２２の過電圧制限値Ｖｕの１／２の電圧値（Ｖｕ／２）に保持される。
【００２８】
そして、時点ｔ１において、点灯制御が開始されると、制御回路１７により点灯回路２０がオン制御され、整流回路１４、負荷調整回路１８及び平滑回路１９を介して電流が供給され、ＬＥＤ灯体２１のＬＥＤ２２が点灯制御される。この場合、点灯回路２０は、制御回路１７からの指令により、ＬＥＤ２２の明るさが交流定電流電源１１から供給される所定の電流（光度比率）に対応した所定の明るさになるように、ＰＷＭ制御によりＬＥＤ電流を制御する。
【００２９】
この時点ｔ１におけるＬＥＤ２２の点灯時の回路電圧値は、交流定電流電源１１の立ち上がり後の点灯制御開始時の回路電圧値Ｖ１１として、制御回路１７の図示省略の一時記憶装置に記憶される。そして、制御回路１７は、時点ｔ２において、ＬＥＤ２２が消灯制御されたときは、消灯時（時点ｔ２）から、ＬＥＤ点灯装置１３の２次側の回路電圧が一時記憶装置に記憶された点灯制御開始時の回路電圧値Ｖ１１になるように、負荷調整回路１８により制御する。従って、ＬＥＤ２２が消灯状態（時点ｔ２〜時点ｔ３）のときは、ＬＥＤ点灯装置１３の２次側の回路電圧は、点灯制御開始時の回路電圧値Ｖ１１に維持される。
【００３０】
次に、時点ｔ３において、点灯制御が開始されると、ＬＥＤ点灯装置１３の２次側の回路電圧は一時記憶装置に記憶された点灯制御開始時の回路電圧値Ｖ１１に保持されているので、時点ｔ３での点灯制御時にＬＥＤ２２に過電流が流れることを防止できる。以下同様に、ＬＥＤ２２が消灯状態（時点ｔ４〜時点ｔ５、時点ｔ６〜時点ｔ７…）のときは、ＬＥＤ点灯装置１３の２次側の回路電圧は、点灯制御開始時の回路電圧値Ｖ１１に維持されるので、時点ｔ５、ｔ７での点灯制御時にＬＥＤ２２に過電流が流れることを防止できる。
【００３１】
図３は本発明の実施形態に係るＬＥＤ点灯装置の動作の他の一例を示す動作波形図である。この一例は、図２に示した一例に対し、交流定電流電源１１の立ち上がり後の点灯制御開始時の回路電圧値に代えて、交流定電流電源１１が供給されている状態で点灯制御毎の点灯開始時の回路電圧値を制御回路１７の一時記憶装置に記憶するようにしたものである。
【００３２】
図２の場合と同様に、時点ｔ０において交流定電流電源１１が立ち上がり、ＬＥＤ点灯装置１３に交流定電流電源１１から電流が入力されたとすると、点灯回路２０とＬＥＤ灯体２１との間にＬＥＤ電圧（回路電圧）が発生するが、その回路電圧は、制御回路１７により、ＬＥＤ２２の過電圧制限値Ｖｕの１／２の電圧値（Ｖｕ／２）に保持される。
【００３３】
そして、時点ｔ１において、点灯制御が開始されると、制御回路１７により点灯回路２０がオン制御され、この時点ｔ１におけるＬＥＤ２２の点灯時の回路電圧値を回路電圧値Ｖ１１として、制御回路１７の一時記憶装置に記憶する。
【００３４】
制御回路１７は、時点ｔ２においてＬＥＤ２２が消灯制御されたときは、消灯時（時点ｔ２）から、ＬＥＤ点灯装置１３の２次側の回路電圧が一時記憶装置に記憶された点灯制御開始時の回路電圧値Ｖ１１になるように、負荷調整回路１８により制御する。従って、ＬＥＤ２２が消灯状態（時点ｔ２〜時点ｔ３）のときは、ＬＥＤ点灯装置１３の２次側の回路電圧は、点灯制御開始時の回路電圧値Ｖ１１に維持される。ここまでは、図２の場合と同様である。
【００３５】
次に、時点ｔ３において、点灯制御が開始されると、この時点ｔ３におけるＬＥＤ２２の点灯開始時の回路電圧値を回路電圧値Ｖ３１として、制御回路１７の一時記憶装置に更新記憶する。そして、時点ｔ４においてＬＥＤ２２が消灯制御されたときは、消灯時（時点ｔ４）から、ＬＥＤ点灯装置１３の２次側の回路電圧が一時記憶装置に記憶された時点ｔ３での点灯制御時の回路電圧値Ｖ３１になるように、負荷調整回路１８により制御する。従って、ＬＥＤ２２が消灯状態（時点ｔ４〜時点ｔ５）のときは、ＬＥＤ点灯装置１３の２次側の回路電圧は、時点ｔ３での点灯制御時の回路電圧値Ｖ３１に維持される。
【００３６】
以下同様に、ＬＥＤ２２が点灯制御される度に、その時点ｔ５、ｔ７の回路電圧Ｖ５１、Ｖ７１を一時記憶装置に更新記憶していき、ＬＥＤ２２が消灯状態（時点ｔ６〜時点ｔ７…）のときは、ＬＥＤ点灯装置１３の２次側の回路電圧を点灯制御の度のＶ５１、Ｖ７１…に維持する。これにより、ＬＥＤ２２が消灯状態であるときは、前回の点灯制御時の回路電圧値Ｖ１１、Ｖ３１、Ｖ５１…に維持されるので、時点ｔ３、ｔ５、ｔ７…での点灯制御時にＬＥＤ２２に過電流が流れることを防止できる。
【００３７】
図４は本発明の実施形態に係るＬＥＤ点灯装置の動作の別の他の一例を示す動作波形図である。この一例は、図３に示した一例に対し、交流定電流電源１１が供給されている状態で点灯制御毎の点灯開始時の回路電圧値に代えて、点灯制御中の所定時間毎に更新した回路電圧値を制御回路１７の一時記憶装置に記憶するようにしたものである。
【００３８】
図３の場合と同様に、時点ｔ０において交流定電流電源１１が立ち上がり、ＬＥＤ点灯装置１３に交流定電流電源１１から電流が入力されたとすると、点灯回路２０とＬＥＤ灯体２１との間にＬＥＤ電圧（回路電圧）が発生するが、その回路電圧は、制御回路１７により、ＬＥＤ２２の過電圧制限値Ｖｕの１／２の電圧値（Ｖｕ／２）に保持される。
【００３９】
そして、時点ｔ１において、点灯制御が開始されると、制御回路１７により点灯回路２０がＰＷＭ制御され、この時点ｔ１におけるＬＥＤ２２の点灯時の回路電圧値を回路電圧値Ｖ１１として、制御回路１７の一時記憶装置に記憶する。ここまでは、図３の場合と同様である。
【００４０】
次に、点灯制御中の所定時間毎に回路電圧値Ｖ１２〜Ｖ１ｎを取得し、回路電圧値Ｖ１２〜Ｖ１ｎを取得する度に制御回路１７の一時記憶装置に更新記憶していく。そして、制御回路１７は、時点ｔ２においてＬＥＤ２２が消灯制御されたときは、消灯時（時点ｔ２）から、ＬＥＤ点灯装置１３の２次側の回路電圧が、点灯制御中（時点ｔ１〜時点ｔ２）において一時記憶装置に最後に更新記憶された回路電圧値Ｖ１ｎになるように負荷調整回路１８により制御する。従って、ＬＥＤ２２が消灯状態（時点ｔ２〜時点ｔ３）のときは、ＬＥＤ点灯装置１３の２次側の回路電圧は、一時記憶装置に最後に更新記憶された回路電圧値Ｖ１ｎに維持される。
【００４１】
以下同様に、時点ｔ３、ｔ５、ｔ７…において、点灯制御が開始されると、この時点ｔ３、ｔ５、ｔ７…におけるＬＥＤ２２の点灯制御中の所定時間毎に回路電圧値Ｖ３１〜Ｖ３ｎ、Ｖ５１〜Ｖ５ｎ、Ｖ７１〜Ｖ７ｎ…を取得し、回路電圧値Ｖ３１〜Ｖ３ｎ、Ｖ５１〜Ｖ５ｎ、Ｖ７１〜Ｖ７ｎ…を取得する度に制御回路１７の一時記憶装置に更新記憶していく。そして、制御回路１７は、時点ｔ４、ｔ６、…においてＬＥＤ２２が消灯制御されたときは、消灯時（時点ｔ４、ｔ６…）から、ＬＥＤ点灯装置１３の２次側の回路電圧が、点灯制御中（時点ｔ３〜時点ｔ４、時点ｔ５〜時点ｔ６…）において一時記憶装置に最後に更新記憶された回路電圧値Ｖ３ｎ、Ｖ５ｎ…になるように負荷調整回路１８により制御する。従って、ＬＥＤ２２が消灯状態（時点ｔ４〜時点ｔ５、時点ｔ６〜時点ｔ７…）のときは、ＬＥＤ点灯装置１３の２次側の回路電圧は、一時記憶装置に最後に更新記憶された回路電圧値Ｖ３ｎ、Ｖ５ｎ…に維持される。これにより、ＬＥＤ２２が消灯状態であるときは、前回の点灯制御時の回路電圧値Ｖ１ｎ、Ｖ３ｎ、Ｖ５ｎ…に維持されるので、時点ｔ３、ｔ５、ｔ７…での点灯制御時にＬＥＤ２２に過電流が流れることを防止できる。
【００４２】
以上の説明では、一時記憶装置に最後に更新記憶された回路電圧値Ｖ１ｎ、Ｖ３ｎ、Ｖ５ｎ…を記憶するようにしたが、点灯制御中の所定時間毎に更新した回路電圧値の平均値、すなわち、点灯制御中の時点ｔ１〜ｔ２で取得したＶ１１〜Ｖ１ｎの平均値、時点ｔ３〜時点ｔ４で取得したＶ３１〜Ｖ３ｎの平均値、時点ｔ５〜時点ｔ６で取得したＶ５１〜Ｖ５ｎの平均値…を一時記憶装置に記憶し、その回路電圧値の平均値を用いるようにしてもよい。
【００４３】
また、以上述べたＬＥＤ２２の点灯状態の回路電圧値は、制御回路１７の一時記憶装置に記憶するようにしたが、外部の自己保持型記憶装置に記憶するようにしてもよい。この場合は、制御回路１７の制御電源がオフとなった場合にも、外部の自己保持型記憶装置にＬＥＤ２２の点灯状態の回路電圧値が保持されることになる。
【００４４】
本発明の実施形態によれば、点灯時の回路電圧を記憶し、ＬＥＤ灯器２１のＬＥＤ２２が消灯制御した際に点灯時の回路出力電圧に制御するので、消灯状態から点灯制御に移行した場合であっても、ＬＥＤ２２への過電流が流れなくなり、ＬＥＤ点灯装置１３の品質向上につながる。
【符号の説明】
【００４５】
１１…交流定電流電源、１２…ゴム被覆絶縁変圧器、１３…ＬＥＤ点灯装置、１４…整流回路、１５…絶縁カレントトランス、１６…入力電流検出回路、１７…制御回路、１８…負荷調整回路、１９…平滑回路、２０…点灯回路、２１…ＬＥＤ灯体、２２…ＬＥＤ、２３…電流検出部、２４…電圧検出部、２５…直流・直流変換装置
【図１】
2012003865.tif 000003
【図２】
2012003865.tif 000004
【図３】
2012003865.tif 000005
【図４】
2012003865.tif 000006